(57)【要約】【課題】本実施例は、タッチディスプレイ装置とその製造方法を提供する。【解決手段】タッチディスプレイパネルの外郭領域に曲がったベンディング領域を含む場合、ベンディング領域に配置されるタッチ配線が、ベンディング領域が曲がる方向と斜めな方向に配置されるようにしてベンディング領域に配置される内側の絶縁層にベンディング領域が曲がる方向と交差する方向に開口された補償パターンを形成して、外側の絶縁層が深さ方向に突出された構造を有するようにする。これを通じて、ベンディング領域のベンディング時、ベンディング領域に位置したタッチ配線及び絶縁層に加えられる力が分散されるようにして、ベンディングによるクラック発生とクラック発生による透湿不良を減少させることができる。【選択図】図１
2018206348.tif 000002
【特許請求の範囲】
【請求項１】
フレキシブル基板と、
前記フレキシブル基板上に配置され、複数のタッチ電極を含んで、外郭領域の少なくとも一部に隣接したベンド領域を含むタッチディスプレイパネルと、
前記タッチディスプレイパネルに配置され、前記ベンド領域で延長された複数のタッチ配線と、
前記複数のタッチ配線上に配置され、前記ベンド領域で補償パターンの少なくとも一部を形成する開口部を含む第１絶縁層と、
前記第１絶縁層上に配置され、前記第１絶縁層の前記補償パターンの前記開口部に配置された第２絶縁層と、
を含むタッチディスプレイ装置。
【請求項２】
前記補償パターンは、前記ベンド領域のベンド軸に平行な方向に延長された
請求項１に記載のタッチディスプレイ装置。
【請求項３】
前記補償パターンは、溝パターンであり、前記溝パターンは、前記補償パターンに沿って延長された前記第１絶縁層に形成された連続的な溝を有する
請求項１に記載のタッチディスプレイ装置。
【請求項４】
前記第１絶縁層は、前記ベンド領域に配置された複数の補償パターンを含んでおり、前記複数の補償パターンは、互いに平行に配置された
請求項１に記載のタッチディスプレイ装置。
【請求項５】
前記タッチディスプレイパネルの外郭の一部は、曲線であり、
前記第１絶縁層の前記補償パターンは、前記タッチディスプレイパネルの外郭が曲線である部分に対応する曲線形態で配置された
請求項１に記載のタッチディスプレイ装置。
【請求項６】
前記タッチディスプレイパネルの外郭の一部は、曲線であり、
前記第１絶縁層の補償パターンは、前記タッチディスプレイパネルの外郭が曲線である部分に接するように配置され、第１方向に延長された第１部分と前記第１方向と交差する第２方向に延長された第２部分を含む階段形態であり、前記第１部分は、前記第２部分に連結された
請求項１に記載のタッチディスプレイ装置。
【請求項７】
前記タッチディスプレイパネルは、前記ベンド領域で第１方向に延長されたベンド軸に関して曲がっており、
前記複数のタッチ配線は、前記ベンド領域で前記第１方向及び前記第１方向と交差する第２方向との間の角度で延長された
請求項１に記載のタッチディスプレイ装置。
【請求項８】
前記複数のタッチ配線のそれぞれは、前記ベンド領域で第１部分と第２部分を含んでおり、
前記第１部分及び前記第２部分のそれぞれは、前記ベンド領域で互いに交差するジグザグ形態を有する
請求項７に記載のタッチディスプレイ装置。
【請求項９】
前記第１部分と前記第２部分の交差するジグザグ形態は、前記ベンド領域で複数のダイヤモンド形態を形成する
請求項８に記載のタッチディスプレイ装置。
【請求項１０】
前記ベンド領域は、前記タッチディスプレイパネルのアクティブ領域の外郭を取り囲む
請求項１に記載のタッチディスプレイ装置。
【請求項１１】
封止層と、
前記封止層上に配置された複数のタッチ配線と、
前記複数のタッチ配線上に配置され、外郭に接するように位置するベンド領域で開口部を有する補償パターンを含む第１絶縁層と、
前記第１絶縁層上に配置された第２絶縁層と
を含むタッチディスプレイパネル。
【請求項１２】
前記補償パターンは、前記ベンド領域のベンド軸に平行な方向に延長され、少なくとも一つのホールパターンまたは溝パターンを含む
請求項１１に記載のタッチディスプレイパネル。
【請求項１３】
前記第１絶縁層は、前記ベンド領域に配置された複数の補償パターンを含んでおり、前記複数の補償パターンは、互いに平行に配置された
請求項１１に記載のタッチディスプレイパネル。
【請求項１４】
前記第１絶縁層の前記補償パターンは、前記第１絶縁層の外郭の曲線である部分に対応して曲線である形態で配置された
請求項１１に記載のタッチディスプレイパネル。
【請求項１５】
前記第１絶縁層の前記補償パターンの部分は、外郭が曲線である部分に接するように配置され、第１方向に延長された第１部分と前記第１部分と交差する第２方向に延長された第２部分を含む階段形態を有して、前記第１部分は、前記第２部分に連結された
請求項１１に記載のタッチディスプレイパネル。
【請求項１６】
前記第２絶縁層は、前記第１絶縁層の前記補償パターンの前記開口部に配置される
請求項１１に記載のタッチディスプレイパネル。
【請求項１７】
前記補償パターンは、アクティブ領域の外郭を取り囲む
請求項１１に記載のタッチディスプレイパネル。
【請求項１８】
アクティブ領域、ベンド領域、及び前記アクティブ領域と前記ベンド領域との間のリンク領域を有するフレキシブル基板と、
前記フレキシブル基板上に位置して、複数のタッチ電極を含むタッチレイヤーを含み、
前記複数のタッチ電極のそれぞれは、
前記リンク領域に配置された第１部分と、
前記ベンド領域に配置された第２部分と、
前記ベンド領域に配置された第３部分と
を含み、
前記第２部分と前記第３部分は、前記第１部分に連結され、前記複数のタッチ電極のうちで少なくとも一つは、前記リンク領域で前記第２部分と前記第３部分を含み、
前記ベンド領域で前記タッチレイヤー上に位置して、開口部を含む第１絶縁層をさらに含む装置。
【請求項１９】
前記フレキシブル基板は、前記ベンド領域に隣接したパッド領域をさらに含み、
前記ベンド領域は、前記リンク領域と前記パッド領域との間に位置し、
前記複数のタッチ電極のうちで少なくとも一つは、前記パッド領域で前記第２部分と前記第３部分とを含む
請求項１８に記載の装置。
【請求項２０】
前記ベンド領域に配置され、前記第１絶縁層内に溝を有する補償パターンと、
前記第１絶縁層上に配置され、前記補償パターン内部に延長された第２絶縁層と
をさらに含む、請求項１８に記載の装置。
【発明の詳細な説明】
【技術分野】
【０００１】
本実施例は、タッチディスプレイ装置とタッチディスプレイパネル及びその製造方法に関するものである。
【背景技術】
【０００２】
情報化社会が発展することによって画像を表示するディスプレイ装置に対する多様な要求が増加し、液晶ディスプレイ装置、プラズマディスプレイ装置、有機発光ディスプレイ装置などのような多様な類型のディスプレイ装置が活用されている。
【０００３】
このようなディスプレイ装置は、使用者により多様な機能を提供するために、ディスプレイパネルに対する使用者のタッチを認識して認識されたタッチを基盤で入力処理を遂行する機能を提供している。
【０００４】
一例として、ディスプレイパネルに対する使用者のタッチをセンシングするためにディスプレイパネルに複数のタッチ電極を配置し、タッチ電極と駆動回路を連結するタッチ配線を配置する。そして、ディスプレイパネルに対する使用者のタッチ時に発生する静電容量の変化をセンシングしてディスプレイパネルに対する使用者のタッチ有無とタッチ位置などを感知することができる。
【０００５】
よって、既存のディスプレイパネルにタッチ電極とタッチ配線を配置する必要があるが、ディスプレイパネル自体の構造によってタッチ電極とタッチ配線を具現し難い問題点が存在する。
【発明の概要】
【発明が解決しようとする課題】
【０００６】
本実施例の目的は、ディスプレイパネルに対する使用者のタッチを認識できるようにタッチ電極とタッチ配線が配置された構造を有するタッチディスプレイ装置とその製造方法を提供することにある。
【０００７】
本実施例の目的は、ディスプレイパネルの外郭領域が曲がったベンド領域にタッチ配線を配置する場合、タッチ配線のクラック(Crack)を防止することができるタッチディスプレイ装置とその製造方法を提供することにある。
【課題を解決するための手段】
【０００８】
一側面で、本実施例は、複数のタッチ電極が配置されて外郭領域の少なくとも一部が曲がったベンド領域を含むタッチディスプレイパネルと、タッチディスプレイパネルに配置されてベンド領域でベンド領域が曲がった形態によって配置された複数のタッチ配線と、複数のタッチ配線上に配置されてベンド領域で開口された補償パターンを含む第１絶縁層と、第１絶縁層の補償パターンの内部及び第１絶縁層上に配置された第２絶縁層を含むタッチディスプレイ装置を提供する。
【０００９】
他の側面で、本実施例は、封止層と、封止層上に配置された複数のタッチ配線と、複数のタッチ配線上に配置された第１絶縁層と、第１絶縁層上に配置された第２絶縁層を含んで、第１絶縁層は、外郭領域で曲がったベンド領域に開口された補償パターンを含むタッチディスプレイパネルを提供する。
【００１０】
他の側面で、本実施例は、アクティブ領域、ベンド領域、及びアクティブ領域とベンド領域との間のリンク領域を有するフレキシブル基板と、フレキシブル基板上に位置して複数のタッチ電極を含むタッチレイヤーを含む装置を提供する。複数のタッチ電極それぞれは、リンク領域に配置された第１部分、ベンド領域に配置された第２部分、及びベンド領域に配置された第３部分を含んで、第２部分と第３部分は、第１部分に連結されて複数のタッチ電極のうちで少なくとも一つは、リンク領域で第２部分と第３部分を含む。このような装置は、ベンド領域でタッチレイヤー上に位置して開口部を含む第１絶縁層をさらに含む。
【発明の効果】
【００１１】
本実施例によれば、ディスプレイパネルの外郭領域に曲がったベンド領域に配置されるタッチ配線のクラックを防止することができる構造を有するタッチ配線を含むタッチディスプレイ装置とその製造方法を提供する。
【００１２】
また、ベンド領域においてタッチ配線上に配置される絶縁層に開口された補償パターンを形成することで、ベンド領域でタッチ配線が曲げられることによるクラックと、クラックによる透湿不良を防止できるようにする。
【図面の簡単な説明】
【００１３】
【図１】本実施例によるタッチディスプレイ装置の概略的な構成を示した図面である。
【図２】本実施例によるタッチディスプレイ装置の断面構造の一例を示した図面である。
【図３】同じく、本実施例によるタッチディスプレイ装置の断面構造の一例を示した図面である。
【図４】本実施例によるタッチディスプレイ装置のベンド領域の構造の一例を示した図面である。
【図５】本実施例によるタッチディスプレイ装置のベンド領域に配置されるタッチ配線の構造の一例を示した図面である。
【図６】同じく、本実施例によるタッチディスプレイ装置のベンド領域に配置されるタッチ配線の構造の一例を示した図面である。
【図７】本実施例によるタッチディスプレイ装置のベンド領域に形成された補償パターンの構造の一例を示した図面である。
【図８】図７に示されたタッチディスプレイ装置のベンド領域でＡ−Ａ'の断面構造の一例を示した図面である。
【図９】図８に示されたＡ−Ａ'の断面と類似な構造の一例を示したものであり、力の分散原理を説明するために３個の開口部が形成された第２絶縁層を含む構造を示した図面である。
【図１０】本実施例によるタッチディスプレイ装置のベンド領域に形成された補償パターン構造の他の一例を示した図面である。
【図１１】本実施例によるタッチディスプレイパネルの製造方法の過程を示した図面である。
【発明を実施するための形態】
【００１４】
以下、本発明の一部実施例らを例示的な図面を参照して詳細に説明する。各図面の構成要素に参照符号を付け加えることにおいて、等しい構成要素に対しては、たとえ他の図面上に表示されてもできるだけ等しい符号を有することができる。また、本発明を説明するにおいて、関連される公知構成または機能に対する具体的な説明が本発明の要旨をあいまいにすることがあると判断される場合には、その詳細な説明は、略することができる。
【００１５】
また、本発明の構成要素を説明するにおいて、第１、第２、Ａ、Ｂ、(ａ)、(ｂ)などの用語を使用することができる。このような用語は、その構成要素を他の構成要素と区別するためのことであるだけで、その用語によって該当構成要素の本質、順番、順序でまたは個数などが限定されない。ある構成要素が異なる構成要素に“連結”、“結合”または“接続”されると記載した場合、その構成要素は、その他の構成要素に直接的に連結されるか、または接続されることができるが、各構成要素の間に他の構成要素が“介在”されるか、または各構成要素が異なる構成要素を通じて“連結”、“結合”または“接続”されることもできると理解されなければならないであろう。
【００１６】
図１は、本実施例によるタッチディスプレイ装置１００の概略的な構成を示したものである。
【００１７】
図１を参照すれば、本実施例によるタッチディスプレイ装置１００は、複数のタッチ電極(ＴＥ)と複数のタッチ配線(ＴＬ)が配置されるタッチディスプレイパネル１１０と、タッチ電極(ＴＥ)にタッチ駆動信号を出力してタッチ電極(ＴＥ)から受信されるタッチセンシング信号に基礎してタッチをセンシングする駆動回路１２０を含む。
【００１８】
タッチディスプレイパネル１１０は、複数のサブピクセルが配置されて映像を表示するアクティブ領域(Active Area、Ａ/Ａ)と、アクティブ領域(Ａ/Ａ)の外側に位置してサブピクセルに印加される信号を伝達するための配線などが配置されるノンアクティブ領域(Non-active Area、Ｎ/Ａ)で区分されることができる。
【００１９】
タッチディスプレイパネル１１０のアクティブ領域(Ａ/Ａ)には、ゲートラインとデータラインが交差して配置され、ゲートラインとデータラインが交差する領域にサブピクセルが配置される。
【００２０】
アクティブ領域(Ａ/Ａ)に配置されたサブピクセルは、ゲートラインに印加されるスキャン信号のタイミングに合わせてデータラインを通じて供給されるデータ電圧によって階調を表現してアクティブ領域(Ａ/Ａ)を通じて映像が表示されることができるようにする。
【００２１】
このようなアクティブ領域(Ａ/Ａ)には、ディスプレイ駆動のための構成以外に使用者のタッチをセンシングするための複数のタッチ電極(ＴＥ)を配置させることができる。
【００２２】
複数のタッチ電極(ＴＥ)は、タッチディスプレイ装置１００が液晶ディスプレイ装置である場合、アクティブ領域(Ａ/Ａ)に配置される共通電極をタッチ電極(ＴＥ)で活用することができる。タッチディスプレイ装置１００が有機発光ディスプレイ装置である場合、タッチ電極(ＴＥ)は、封止層上に配置させることができるが、これに限定されるものはない。
【００２３】
ここで、タッチディスプレイ装置１００が有機発光ディスプレイ装置である場合タッチ電極(ＴＥ)が配置される構造を図２と図３を参照して簡略に説明すれば、タッチ電極(ＴＥ)は封止層(Encap)とタッチディスプレイパネル１１０のカバーの間に配置させることができる。
【００２４】
すなわち、タッチ電極(ＴＥ)とタッチ配線(ＴＬ)などのようにタッチセンシングのための構成は、封止層(Encap)上に配置させることができる。
【００２５】
具体的に、封止層(Encap)下に有機発光ダイオド(ＯＬＥＤ)のカソード(Cathode)が配置され、カソード(Cathode)と離隔されて封止層(Encap)上にタッチ電極(ＴＥ)が配置される。
【００２６】
一例で、封止層(Encap)の厚さ(Ｔ)は、５μｍ以上とすることができる。
【００２７】
このように、封止層(Encap)の厚さ(Ｔ)を一定な厚さ以上に設計することで、有機発光ダイオド(ＯＬＥＤ)のカソード(Cathode)とタッチ電極(ＴＥ)との間に形成される寄生静電容量を減少させることができる。これによって、寄生静電容量によるタッチセンシング感度の低下を防止できるようにする。
【００２８】
一方、タッチ電極(ＴＥ)が穴(Ｈ)を含むメッシュタイプである場合タッチ電極(ＴＥ)に含まれた穴(Ｈ)は、サブピクセルの発光部と対応して位置することができる。
【００２９】
よって、タッチ電極(ＴＥ)の穴(Ｈ)は、カラーフィルター(ＣＦ)と対応されることができるし、ホワイト有機発光ダイオド(ＯＬＥＤ)を利用する場合などのようにカラーフィルター(ＣＦ)が必要な場合カラーフィルター(ＣＦ)の位置をタッチ電極(ＴＥ)の穴(Ｈ)の位置と対応させて優秀な発光性能を有するタッチディスプレイ装置１００を提供することができる。
【００３０】
このようなタッチ電極(ＴＥ)とカラーフィルター(ＣＦ)の垂直的な位置は、多様に設計されることができる。
【００３１】
一例として、図２に示されたように、カラーフィルター(ＣＦ)とブラックマトリックス(ＢＭ)は、タッチ電極(ＴＥ)上に配置させることができる。また、カラーフィルター(ＣＦ)とブラックマトリックス(ＢＭ)は、タッチ電極(ＴＥ)上に配置されるオーバーコート層(ＯＣ)上に配置させることができる。
【００３２】
他の例で、図３に示されたように、カラーフィルター(ＣＦ)とブラックマトリックス(ＢＭ)は、タッチ電極(ＴＥ)の下部に位置することができる。この時、タッチ電極(ＴＥ)は、カラーフィルター(ＣＦ)とブラックマトリックス(ＢＭ)上に配置されるオーバーコート層(ＯＣ)上に配置させることができる。
【００３３】
すなわち、タッチ電極(ＴＥ)とカラーフィルター(ＣＦ)は、タッチ性能とディスプレイ性能を考慮して、最適の位置関係を有するように設計することができる。
【００３４】
また、封止層(Encap)上にタッチ電極(ＴＥ)を配置する構造を提供することで、有機物によって一般に金属物質であるタッチ電極(ＴＥ)をパネル内部に形成し難い問題点を乗り越えて優秀なディスプレイ性能とタッチ性能を有する有機発光ディスプレイ装置を提供できるようにする。
【００３５】
このようにタッチディスプレイパネル１１０の内部に配置された複数のタッチ電極(ＴＥ)は、アクティブ領域(Ａ/Ａ)に一定に分離された構造で配置されてタッチ配線(ＴＬ)を通じて駆動回路１２０と連結される。
【００３６】
このようなタッチ電極(ＴＥ)とタッチ配線(ＴＬ)は、タッチをセンシングする方式に従って多様な構造で配置されることができるし、本明細書では、相互静電容量センシング方式でタッチをセンシングする場合で例示に説明するが、本実施例は、これに限定されない。
【００３７】
複数のタッチ電極(ＴＥ)は、駆動回路１２０から出力されるタッチ駆動信号の印加を受けるＴｘ電極と、駆動回路でタッチセンシング信号を伝達するＲｘ電極で構成されることができる。
【００３８】
そして、複数のタッチ配線(ＴＬ)は、タッチ電極(ＴＥ)のうちＴｘ電極と連結される第１タッチ配線(ＴＬ(Ｔｘ))と、Ｒｘ電極と連結される第２タッチ配線(ＴＬ(Ｒｘ))で構成されることができる。
【００３９】
一例で、図１に示されたように、第１タッチ配線(ＴＬ(Ｔｘ))は、タッチ電極(ＴＥ)のＴｘ電極と横方向に連結されて、第２タッチ配線(ＴＬ(Ｒｘ))は、タッチ電極(ＴＥ)のＲｘ電極と縦方向に連結されることができる。
【００４０】
駆動回路１２０は、タッチをセンシングする時間区間で第１タッチ配線(ＴＬ(Ｔｘ))を通じてＴｘ電極にタッチ駆動信号を印加し、第２タッチ配線(ＴＬ(Ｒｘ))を通じてＲｘ電極からタッチセンシング信号を受信してタッチディスプレイパネル１１０に対する使用者のタッチ有無とタッチ位置を決める。
【００４１】
よって、本実施例によれば、パネルにタッチ電極(ＴＥ)とタッチ配線(ＴＬ)を配置し、これを通じてディスプレイパネルに対する使用者のタッチを認識することができるタッチディスプレイ装置１００を提供する。
【００４２】
一方、このようなタッチディスプレイ装置１００は、タッチディスプレイパネル１１０が多様な形態を有することができるが、一例で、タッチディスプレイパネル１１０の外郭領域が曲がったベンド領域を含むことができる。
【００４３】
図４は、本実施例によるタッチディスプレイ装置２００が外郭領域にベンド領域を含む場合の一例を示したものである。
【００４４】
図４を参照すれば、本実施例によるタッチディスプレイ装置２００のタッチディスプレイパネル２１０は、サブピクセルとタッチ電極(ＴＥ)などが配置されるアクティブ領域(Ａ/Ａ)とアクティブ領域(Ａ/Ａ)の外側に位置するノンアクティブ領域(Ｎ/Ａ)を含むことができる。
【００４５】
タッチディスプレイパネル２１０の外郭領域であるノンアクティブ領域(Ｎ/Ａ)は、少なくとも一部が曲がったベンド領域を含むことができる。
【００４６】
このようなベンド領域には、アクティブ領域(Ａ/Ａ)に配置されたタッチ電極(ＴＥ)と駆動回路１２０を連結するタッチ配線(ＴＬ)を配置させることができる。
【００４７】
一例として、金属物質で構成されたタッチ配線(ＴＬ)と、タッチ配線(ＴＬ)上に絶縁物質で構成された絶縁層を配置させることができる。
【００４８】
このようなタッチ配線(ＴＬ)は、タッチ電極(ＴＥ)と駆動回路１２０を連結して、ベンド領域でベンド領域が曲がった形態に沿って配置させることができる。
【００４９】
すなわち、ベンド領域の曲がった曲面に沿ってタッチ配線(ＴＬ)を配置させることができる。
【００５０】
よって、ベンド領域に配置されるタッチ配線(ＴＬ)がベンド領域の形態によって曲げられることによって、タッチ配線(ＴＬ)及びタッチ配線(ＴＬ)上に配置される絶縁層にクラック(Crack)が発生することがあるし、このようなクラックによって透湿不良が発生することがある。
【００５１】
本実施例によるタッチディスプレイ装置２００は、ベンド領域でタッチ配線(ＴＬ)と絶縁層が曲げられることによって発生するクラックとそのクラックによる透湿不良を防止することができる構造を提供する。
【００５２】
図５と図６は、本実施例によるタッチディスプレイ装置２００でタッチディスプレイパネル２１０のベンド領域に配置されるタッチ配線(ＴＬ)の構造の一例を示したものである。
【００５３】
図５は、タッチディスプレイパネル２１０のベンド領域が開かれた状態を示す断面図である。
【００５４】
図５を参照すれば、タッチディスプレイパネル２１０でタッチ電極(ＴＥ)が配置されるアクティブ領域(Ａ/Ａ)の外側にタッチ電極(ＴＥ)と連結されるためのタッチ配線(ＴＬ)が配置されるリンク領域が位置する。
【００５５】
リンク領域と隣接した部分には、タッチディスプレイパネル２１０が屈曲によって形成されるベンド領域が位置する。
【００５６】
ベンド領域と隣接した部分には、駆動回路１２０と連結されるタッチ配線(ＴＬ)が配置されるパッド領域が位置する。
【００５７】
すなわち、アクティブ領域(Ａ/Ａ)の外側に位置するリンク領域、ベンド領域及びパッド領域には、アクティブ領域(Ａ/Ａ)に配置されたタッチ電極(ＴＥ)と駆動回路１２０を連結するタッチ配線(ＴＬ)が配置される。
【００５８】
ここで、ベンド領域が曲がることによって、ベンド領域に配置されるタッチ配線(ＴＬ)のクラックが発生することがある。
【００５９】
本実施例らによるタッチディスプレイ装置２００は、ベンド領域に配置されるタッチ配線(ＴＬ)が、ベンド領域が曲がってもクラックの発生を最小化することができる構造を提供する。
【００６０】
一例で、図５に示されたように、リンク領域とパッド領域に配置されたタッチ配線(ＴＬ)は、直線形態で配置されることができる。そして、ベンド領域に配置されるタッチ配線(ＴＬ)は、ベンド領域が曲がる方向に対して斜めな方向に配置されるようにする。
【００６１】
すなわち、タッチディスプレイパネル２１０は、第１方向１０１に延長されたベンド軸に対してベンド領域で曲がった状態であるか、または曲がることができる。タッチディスプレイパネル２１０がベンド領域で曲がれば第２方向１０２に対向するベンド領域の側部はお互いに近くなることができる。一例で、図５に示されたベンド領域の上側側部と下側側部は第２方向１０２でお互いに対向する。ベンド軸は、図５に示された水平方向である第１方向１０１に延長される。そして、タッチディスプレイパネル２１０がベンド軸に沿ってベンド領域で曲がれば、ベンド領域の上側側部と下側側部は、互いに対向する。ベンド領域は、第１方向１０１に延長されたベンド軸を有するものとして説明されるが、本実施例は、これに限定されない。一例で、タッチディスプレイパネル２１０は、ベンド領域である方向に延長された多様な軸に対して曲がることができる。
【００６２】
それぞれのタッチライン(ＴＬ)は、ベンド領域で第１部分１１１と第２部分１１２を含む。すなわち、タッチライン(ＴＬ)は、ベンド領域で二つの分離された第１部分１１１と第２部分１１２で形成され、リンク領域とパッド領域の等しいタッチライン(ＴＬ)と連結される。第１部分１１１と第２部分１１２は、ベンド領域でジグザグラインを形成することができる。そして、第１部分１１１と第２部分１１２は、ベンド領域でお互いに繰り返し的に交差する。第１部分１１１と第２部分１１２のそれぞれのジグザグラインは、ベンド領域で第１方向１０１と第２方向１０２との間の角で延長される。それぞれのタッチライン(ＴＬ)は、ベンド領域で第１部分１１１と第２部分１１２との交差によって繰り返す形態のパターンを形成する。
【００６３】
よって、タッチライン(ＴＬ)は、ベンド領域で、第２方向１０２に直線ラインで延長されない。その代わりに、タッチライン(ＴＬ)は、第１方向１０１と第２方向１０２との間の角でベンド領域で延長されるようにベンド領域でパターンを形成する第１部分１１１と第２部分１１２を含む。
【００６４】
具体的に、ベンド領域でタッチ配線(ＴＬ)は、ベンド領域が曲がった方向と斜めな第１方向及び第１方向と交差する第２方向に配置される構造である複数の菱形形態が連結された構造で配置させることができる。
【００６５】
タッチ配線(ＴＬ)を複数の菱形形態が連結された構造で配置することで、曲がった形態であるベンド領域においてタッチ配線(ＴＬ)がベンド領域の形態によって曲げられた場合にも、ベンド領域が曲がった方向と斜めな方向にタッチ配線(ＴＬ)が受ける力を分散させるようにする。すなわち、タッチディスプレイパネル２１０が第１方向１０１にベンド軸に対してベンド領域で曲がれば、タッチライン(ＴＬ)で曲がる力が第１方向１０１と第２方向１０２との間の角で分散される。
【００６６】
図６を参照して具体的に説明すれば、ベンド領域に配置されたタッチ配線(ＴＬ)は、ベンド領域の形態によって曲げられる場合、ベンド領域が曲がる方向に対して斜めな方向にタッチ配線(ＴＬ)が受ける力が分散される。
【００６７】
一例で、図６に示された形態のようにタッチ配線(ＴＬ)が配置される場合、タッチ配線(ＴＬ)がベンド領域の形態によって曲げられれば、タッチ配線(ＴＬ)が受ける力が６０１、６０２と同じ方向に分散されるようになる。
【００６８】
すなわち、直線形態のタッチ配線(ＴＬ)がベンド領域の形態によって曲げられる場合に受ける力を、タッチ配線(ＴＬ)の菱形形態の構造を通じて、第１方向１０１と第２方向１０２(例、Ｘ軸方向とＹ軸方向)に分散させることで、タッチ配線(ＴＬ)が曲げられることによって発生することがあるクラックを防止できるようにする。
【００６９】
これを通じて、タッチディスプレイパネル２１０のベンド領域に配置されるタッチ配線(ＴＬ)のクラックと、クラックによる透湿不良を防止できるようにする。
【００７０】
また、本実施例らによるタッチディスプレイ装置２００は、ベンド領域に配置されるタッチ配線(ＴＬ)上に配置される絶縁層に補償パターンを形成する構造を通じて、絶縁層に加えられる力を分散させることができる構造を提供する。
【００７１】
図７は、本実施例によるタッチディスプレイ装置３００でタッチディスプレイパネル３１０のベンド領域に配置される絶縁層に補償パターンを含む構造の一例を示したものである。
【００７２】
図７を参照すれば、本実施例によるタッチディスプレイ装置３００のタッチディスプレイパネル３１０は、サブピクセルとタッチ電極(ＴＥ)などが配置されるアクティブ領域(Ａ/Ａ)とアクティブ領域(Ａ/Ａ)の外側に位置するノンアクティブ領域(Ｎ/Ａ)を含む。
【００７３】
ノンアクティブ領域(Ｎ/Ａ)、すなわち、タッチディスプレイパネル３１０の外郭領域の少なくとも一部は、曲がったベンド領域を含むことができる。
【００７４】
このようなベンド領域には、アクティブ領域(Ａ/Ａ)に配置されたタッチ電極(ＴＥ)と駆動回路１２０を連結するタッチ配線(ＴＬ)を配置させることができる。
【００７５】
具体的には、タッチ配線(ＴＬ)が配置され、タッチ配線(ＴＬ)上に絶縁層が配置される構造とすることができる。
【００７６】
また、タッチ配線(ＴＬ)が二重配線構造である場合、タッチ配線(ＴＬ)を構成する第１金属層上に第１絶縁層が配置されて第１絶縁層上にタッチ配線(ＴＬ)を構成する第２金属層が配置される。ここで、第２金属層は、第１金属層と対応する位置に配置される。そして、第２金属層上に第２絶縁層が配置される。
【００７７】
このようなベンド領域に配置されるタッチ配線(ＴＬ)は、前述したようにベンド領域が曲がった方向に対して斜めな方向に配置される構造を通じて、外部力に対する補償がなされるようにする。
【００７８】
延いては、タッチ配線(ＴＬ)上に配置される第１絶縁層に開口された補償パターンを形成し、第１絶縁層の補償パターンに第２絶縁層が配置されるようにすることで、ベンド領域に配置される絶縁層に加えられる力が分散されるようにすることができる。
【００７９】
具体的に、タッチ配線(ＴＬ)上に配置される第１絶縁層にベンド領域が曲がる方向と交差する方向に配置されて開口された補償パターンを形成する。開口部８０１は、タッチディスプレイパネル３１０の上側側部と下側側部で第１方向１０１に沿って延長されることができる。そして、タッチディスプレイパネル３１０の左側側部と右側側部で第２方向１０２に沿って延長されることができる。
【００８０】
タッチディスプレイパネル３１０の上側側部と下側側部のベンド領域は、第１方向１０１に延長されたベンド軸に対して曲がることができ、タッチディスプレイパネル１１０の左側側部と右側側部のベンド領域は、第２方向１０２に延長されたベンド軸に対して曲がることができる。
【００８１】
このような補償パターンは、第１絶縁層の一部領域が開口されたパターンとして、溝パターンであることができるし、ホールパターンであることもできる。ホールパターンである場合には、複数のホールパターンが一方向に配置される構造であることができる。
【００８２】
第１絶縁層で開口された補償パターンには、第１絶縁層上に配置される第２絶縁層が配置される。
【００８３】
よって、第１絶縁層上に配置される第２絶縁層が、第１絶縁層が配置された領域に突出された構造を有するようになる。
【００８４】
第２絶縁層が、第１絶縁層が配置された深さ方向に突出された構造を有することで、ベンド領域で曲がる場合、第２絶縁層に加えられる力が深さ方向に分散されるようにする。
【００８５】
タッチディスプレイパネル３１０のベンド領域で第１絶縁層に形成される補償パターンは、図７に示されたように、タッチディスプレイパネル３１０の外郭に沿って形成されることができる。
【００８６】
第１絶縁層に形成される補償パターンは、一つであることができるし、図７に示された例示のように、複数の補償パターンが形成されることもできる。
【００８７】
複数の補償パターンが形成される場合、複数の補償パターンはお互いに平行に配置されることができる。
【００８８】
また、タッチディスプレイパネル３１０の外郭の一部が曲線である場合ベンド領域に配置された第１絶縁層に形成される補償パターンもタッチディスプレイパネル３１０の外郭の形態によって曲線で配置されることができる。
【００８９】
タッチディスプレイパネル３１０のベンド領域に配置される第１絶縁層に形成された補償パターンの構造を図７でＡ−Ａ'の断面構造を共に具体的に説明する。
【００９０】
図８と図９は、本実施例によるタッチディスプレイ装置３００でタッチディスプレイパネル３１０のベンド領域に配置されるタッチ配線(ＴＬ)上の絶縁層の断面構造の一例を示したものとして、図７でＡ−Ａ'部分の断面を示したものである。
【００９１】
図８を参照すれば、封止層(Encap)上にタッチ配線(ＴＬ)が配置され、タッチ配線(ＴＬ)上に第１絶縁層８１０が配置される。そして、第１絶縁層８１０上に第２絶縁層８２０が配置される。また、第１絶縁層８１０と第２絶縁層８２０との間には、タッチ配線(ＴＬ)を構成する金属層をさらに配置させることもできる(図示せず)。
【００９２】
ここで、第１絶縁層８１０は、ベンド領域が曲がった方向と交差する方向に形成される開口された補償パターンが８０１のように形成される。
【００９３】
このような補償パターンは、一つ以上が形成されることができるし、ベンド領域が曲がった方向と交差する方向に配置される溝パターンまたはホールパターンであることができる。
【００９４】
このような溝パターンまたはホールパターンは、タッチディスプレイパネル３１０にタッチ配線(ＴＬ)と絶縁層を形成する工程で形成されることができる。
【００９５】
一例で、封止層(Encap)上にタッチ配線(ＴＬ)を形成するための金属層を蒸着して蝕刻した後、タッチ配線(ＴＬ)上に第１絶縁層８１０を蒸着する。
【００９６】
第１絶縁層８１０を蒸着した後、第１絶縁層８１０にベンド領域が曲がった方向と交差する方向に溝パターンまたはホールパターンを形成し、第１絶縁層８１０に形成されたパターンに沿って開口された補償パターンが形成されるようにする。
【００９７】
補償パターンの形成が完了すれば、第１絶縁層８１０上に第２絶縁層８２０を蒸着する。
【００９８】
ここで、第２絶縁層８２０を蒸着する以前に第１絶縁層８１０上にタッチ配線(ＴＬ)を構成する金属層を蒸着してエッチングする過程を加えることもできる。
【００９９】
補償パターンが形成された第１絶縁層８１０上に第２絶縁層８２０を蒸着することによって第２絶縁層８２０が第１絶縁層８１０の補償パターンに位置するようになる。
【０１００】
すなわち、タッチディスプレイパネル３１０で外側に位置する第２絶縁層８２０が第１絶縁層８１０に形成された補償パターンに位置することで、第２絶縁層８２０が深さ方向に突出された構造を有するようになる。
【０１０１】
よって、第２絶縁層８２０が深さ方向に突出された構造を有するようにすることで、ベンド領域が曲がる場合、絶縁層に加えられる力が深さ方向に分散されるようにする。
【０１０２】
絶縁層に加えられる力が分散されるようにすることで、タッチディスプレイパネル３１０のベンド領域に配置される絶縁層のクラックとクラックによる透湿不良を最小化することができるようにする。
【０１０３】
図９を参照して、第１絶縁層８１０に形成された補償パターンと第２絶縁層８２０の構造によって絶縁層に加えられる力が分散される原理を具体的に説明する。
【０１０４】
図９に示されたように、第１絶縁層８１０に形成された補償パターンによって、第２絶縁層８２０は、第１絶縁層８１０の補償パターンに対応する位置で深さ方向に突出された構造を有するようになる。
【０１０５】
このような構造を有する第２絶縁層８２０が、ベンド領域において、ベンド領域が曲がった方向に曲げられるようになれば、第２絶縁層８２０の深さ方向に突出された構造によって、第２絶縁層８２０に加えられる力が第２絶縁層８２０の深さ方向に分散するようになる。
【０１０６】
すなわち、ベンド領域に配置されるタッチ配線(ＴＬ)の場合、タッチ配線(ＴＬ)に加えられる力がＸ軸とＹ軸方向に分散されて、絶縁層に加えられる力は、Ｚ軸方向に分散される。
【０１０７】
よって、ベンド領域の屈曲によって加えられる力が、ベンド領域に配置された絶縁層に分散されるようにして、ベンド領域に配置された絶縁層に発生するクラックを減少させることができるようにする。
【０１０８】
また、絶縁層にクラック発生時に透湿経路が長くなるようにすることで、クラック発生による透湿不良の影響を最小化することができるようにする。
【０１０９】
一方、前述した実施例で、ベンド領域に配置される絶縁層に形成される補償パターンは、タッチディスプレイパネル３１０の外郭の形態によって形成される場合を例示で説明したが、絶縁層に加えられる力を分散させることができる範囲で、多様な構造で形成されることもできる。
【０１１０】
図１０は、本実施例によるタッチディスプレイ装置４００でタッチディスプレイパネル４１０のベンド領域に配置される絶縁層に形成される補償パターンの構造の他の一例を示した図面である。
【０１１１】
図１０を参照すれば、本実施例によるタッチディスプレイ装置４００でタッチディスプレイパネル４１０の外郭領域で曲がったベンド領域に配置される絶縁層は、開口された補償パターンを含む。
【０１１２】
ここで、タッチディスプレイパネル４１０の外郭の少なくとも一部は、曲線であることができる。
【０１１３】
タッチディスプレイパネル４１０の外郭が曲線であるベンド領域に配置される絶縁層に形成された補償パターンは、タッチディスプレイパネル４１０の外郭の形態によって形成されることもできるが、図１０で１００１が指示するように、平面図上で横方向直線形態と縦方向直線形態が連結された形態で形成されることができる。
【０１１４】
すなわち、タッチディスプレイパネル４１０のベンド領域に配置される絶縁層に形成される補償パターンは、ベンド領域が曲がる方向と交差する方向に形成されれば、ベンディング時に絶縁層に加えられる力を分散させることができるので、補償パターンが形成された方向が、ベンド領域が曲がる方向と交差する方向に該当すると多様な形態で形成されることができる。
【０１１５】
図１１は、本実施例によるタッチディスプレイパネル４１０の製造方法の過程を示したものである。
【０１１６】
図１１を参照すれば、封止層(Encap)工程が完了すれば(Ｓ１１００)、封止層(Encap)上にタッチ配線(ＴＬ)を構成する第１金属層を蒸着してエッチングする(Ｓ１１１０)。
【０１１７】
第１金属層上に第１絶縁層を蒸着して(Ｓ１１２０)、ベンド領域に配置される第１絶縁層に補償パターンを形成する(Ｓ１１３０)。
【０１１８】
このような補償パターンは、ベンド領域でベンド領域が曲がる方向と交差する方向に配置され、第１絶縁層の一部領域が開口された溝パターンまたはホールパターンなどであることができる。
【０１１９】
第１絶縁層上にタッチ配線(ＴＬ)を構成する第２金属層を蒸着及び蝕刻した後(Ｓ１１４０)、第２金属層上に第２絶縁層を蒸着及びエッチングする(Ｓ１１５０)。
【０１２０】
開口された補償パターンが形成された第１絶縁層上に第２絶縁層が形成されるので、第２絶縁層が第１絶縁層の開口された補償パターンに位置するようになる。よって、第２絶縁層が深さ方向に突出された構造を有するようになって、第２絶縁層が突出された構造を通じてベンディング時絶縁層に加えられる力が分散されるようにする。
【０１２１】
本実施例によれば、タッチディスプレイパネル４１０のベンド領域に配置されるタッチ配線(ＴＬ)の構造と絶縁層に形成された補償パターンを通じて、ベンディング時にタッチ配線(ＴＬ)と絶縁層に加えられる力が分散される構造を提供する。
【０１２２】
これによって、タッチディスプレイパネル４１０の外郭領域の一部が曲がったベンド領域を含む場合にも、ベンド領域で発生するクラックを減少させることができるようにするし、クラックによって発生する透湿不良を最小化することができるようにする。
【０１２３】
以上の説明は、本発明の技術思想を例示的に説明したことに過ぎないものとして、本発明が属する技術分野で通常の知識を有した者なら本発明の本質的な特性から脱しない範囲で多様な修正及び変形が可能であろう。また、本発明に開示された実施例は、本発明の技術思想を限定するためではなく説明するためのものであるので、このような実施例によって本発明の技術思想の範囲が限定されるものではない。本発明の保護範囲は下の請求範囲によって解釈されなければならないし、それと同等な範囲内にあるすべての技術思想は、本発明の権利範囲に含まれるものとして解釈されなければならないであろう。
【符号の説明】
【０１２４】
１００  タッチディスプレイ装置、１１０  タッチディスプレイパネル、１２０  駆動回路。
【図１】
2018206348.tif 000003
【図２】
2018206348.tif 000004
【図３】
2018206348.tif 000005
【図４】
2018206348.tif 000006
【図５】
2018206348.tif 000007
【図６】
2018206348.tif 000008
【図７】
2018206348.tif 000009
【図８】
2018206348.tif 000010
【図９】
2018206348.tif 000011
【図１０】
2018206348.tif 000012
【図１１】
2018206348.tif 000013